(57)【要約】【課題】  複数本の光ファイバ心線のピッチを容易に別のピッチに変換することができるファイバピッチ変換分離治具を得る。【解決手段】  挿入穴部１３から光ファイバ心線１１を挿入し、ファイバ挿通孔１４を介して排出穴部１５から引き出すことにより、第１の配列数および第１のピッチで並置された光ファイバテープ心線１２の光ファイバ心線１１を、容易に第２のピッチおよび第２の配列数に変換・分離することができることになる。例えば、１２５μｍピッチの２４心の細径光ファイバを、２５０μｍピッチの１２心２段の配列およびピッチに変換・分離することができる。【選択図】  図１
2007212779.tif 000002
【特許請求の範囲】
【請求項１】
第１の配列数および第１のピッチで並置された複数本の光ファイバを第２のピッチおよび第２の配列数に変換・分離するファイバピッチ変換分離治具であって、
前記光ファイバを導入するため開口した挿入穴部と、前記挿入穴部に連通し前記第１の配列数および第１のピッチと異なる前記第２の配列数および第２のピッチに変換および分離するファイバ挿通孔と、前記ファイバ挿通孔に臨み変換および分離した前記光ファイバを導出させるため開口した排出穴部とを備えたことを特徴とするファイバピッチ変換分離治具。
【請求項２】
前記光ファイバの第２の配列数および第２のピッチに対応して凹凸が連続して櫛歯状に形成された第１部材および第２部材を備え、前記第１部材および前記第２部材は前記凹凸が互いに噛合可能に配置されていることを特徴とする請求項１記載のファイバピッチ変換分離治具。
【請求項３】
前記第１部材および前記第２部材は前記凹凸が互いに噛合することによって前記ファイバ挿通孔を形成すると共に、前記光ファイバを該光ファイバの並置面と直交する平面に沿って分離させるため前記ファイバ挿通孔が各光ファイバに対応して前記挿入穴部から前記排出穴部に向かって傾斜した傾斜面を装備していることを特徴とする請求項２記載のファイバピッチ変換分離治具。
【請求項４】
前記排出穴部が標準コネクタに適用する光ファイバの配列数およびピッチに一致して開口されていることを特徴とする請求項１〜３のいずれかに記載のファイバピッチ変換分離治具。
【請求項５】
前記挿入穴部に対向して配置される第１の光ファイバ整列部材と、前記排出穴部に対向して配置される第２の光ファイバ整列部材とを装備していることを特徴とする請求項１〜４のいずれかに記載のファイバピッチ変換分離治具。
【請求項６】
上記請求項１〜５のいずれかに記載のファイバピッチ変換分離治具を用い、複数本の光ファイバを前記挿入穴部より導入し前記ファイバ挿通孔を通過させて前記排出穴部から突出させる工程と、前記排出穴部から突出して分離された各光ファイバ群を仮固定する工程と、前記ファイバピッチ変換分離治具を光ファイバ群から取り除く工程と、仮固定した光ファイバ群の各光ファイバを端末処理する工程と、端末処理した各光ファイバを光コネクタに接続する工程とを含むことを特徴とする光コネクタ接続方法。
【請求項７】
前記ファイバピッチ変換分離治具を光ファイバ群から取り除く際に、第１部材と第２部材とが分離可能であることを特徴とする請求項６記載の光コネクタ接続方法。
【請求項８】
上記請求項１〜４のいずれかに記載のファイバピッチ変換分離治具が一体的に設けられたことを特徴とする多心光コネクタ。
【発明の詳細な説明】
【技術分野】
【０００１】
本発明はファイバピッチ変換分離治具に係り、例えば複数本の光ファイバ心線の配列数およびピッチを変換・分離することができるファイバピッチ変換分離治具に関するものである。
【背景技術】
【０００２】
従来の多心コネクタのピッチ間隔よりも小さいピッチ間隔の多心細径ファイバを、従来の多心光コネクタと接続できるようにする多心細径ファイバコネクタが開示されている（例えば特許文献１参照）。
図１２に示すように、特許文献１に開示されている多心細径ファイバコネクタ１００では、ピッチ間隔Ｐ１１の複数の光ファイバ挿入孔１０１をもったフェルール１０２の接続後端側に、多心細径ファイバ１０３の細径光ファイバ１０４のピッチ間隔Ｐ１２(Ｐ１１>Ｐ１２)を光ファイバ挿入孔１０１のピッチ間隔Ｐ１１に変換して挿入するためのファイバ挿入用補助具１０５が固定されている。
このファイバ挿入用補助具１０５は、細径光ファイバ１０４を整列するためのＶ溝１０８をフェルール１０２のファイバ挿入孔１０１のピッチ間隔Ｐ１１と同じピッチ間隔で複数配列したファイバ位置決め部材１０６と、Ｖ溝１０８に嵌合した細径光ファイバ１０４を押さえて固定するファイバ固定部材１０７とから構成されている。
【特許文献１】特開平８−１２２５７７号公報（図１）
【発明の開示】
【発明が解決しようとする課題】
【０００３】
しかしながら、特許文献１の多心細径ファイバコネクタ１００においては、細径光ファイバ１０４のピッチをＰ２からＰ１に変換する際に、細径光ファイバ１０４をファイバ挿入用補助具１０５のファイバ位置決め部材１０６に設けられているＶ溝１０８に嵌め込み、その上からファイバ固定部材１０７を取り付けて細径光ファイバ１０４を固定している。このため、径が非常に細い細径光ファイバ１０４を１本ずつＶ溝１０８に嵌め込まなければならないため取り扱いに注意を要するとともに時間を要し面倒であった。また、嵌め込む際に誤配列のおそれもあるという不都合があった。
【０００４】
本発明は、前述した問題点に鑑みてなされたものであり、その目的は、複数本の並置された光ファイバのピッチを容易に別のピッチに変換することができるファイバピッチ変換分離治具を提供することにある。
【課題を解決するための手段】
【０００５】
前述した目的を達成するために、本発明にかかるファイバピッチ変換分離治具の第１の特徴は、第１の配列数および第１のピッチで並置された複数本の光ファイバを第２のピッチおよび第２の配列数に変換・分離するファイバピッチ変換分離治具であって、前記光ファイバを導入するため開口した挿入穴部と、前記挿入穴部に連通し前記第１の配列数および第１のピッチと異なる前記第２の配列数および第２のピッチに変換および分離するファイバ挿通孔と、前記ファイバ挿通孔に臨み変換および分離した前記光ファイバを導出させるため開口した排出穴部とを備えたことにある。
【０００６】
このように構成されたファイバピッチ変換分離治具においては、挿入穴部から光ファイバを挿入し、ファイバ挿通孔を介して排出穴部から引き出すことにより、第１の配列数および第１のピッチで並置された複数本の光ファイバを、容易に第２のピッチおよび第２の配列数に変換・分離することができることになる。例えば、１２５μｍピッチで１列配置されている２４心の細径光ファイバを、２５０μｍピッチで２段に変換・分離することができる。
【０００７】
また、本発明にかかるファイバピッチ変換分離治具の第２の特徴は、上記本発明の第１の特徴において、前記光ファイバの第２の配列数および第２のピッチに対応して凹凸が連続して櫛歯状に形成された第１部材および第２部材を備え、前記第１部材および前記第２部材は前記凹凸が互いに噛合可能に配置されていることにある。
【０００８】
このように構成されたファイバピッチ変換分離治具は、第１部材と第２部材を有しており、両部材には噛合する櫛歯状の凹凸が設けられているので、第１部材と第２部材とを組み合わせることができる。また、両部材を分解することも可能である。
【０００９】
また、本発明にかかるファイバピッチ変換分離治具の第３の特徴は、上記本発明の第２の特徴において、前記第１部材および前記第２部材は前記凹凸が互いに噛合することによって前記ファイバ挿通孔を形成すると共に、前記光ファイバを該光ファイバの並置面と直交する平面に沿って分離させるため前記ファイバ挿通孔が各光ファイバに対応して前記挿入穴部から前記排出穴部に向かって傾斜した傾斜面を装備していることにある。
【００１０】
このように構成されたファイバピッチ変換分離治具においては、第１部材と第２部材に各々第２の配列数および第２のピッチに対応して櫛歯状の凹凸が設けられており、組み合わされた第１部材の凹部と第２部材の凸部との間、あるいは第１部材の凸部と第２部材の凹部との間にはファイバ挿通孔が形成されることになる。このファイバ挿通孔は、複数本の光ファイバの並置面と直交する方向に傾斜した傾斜面を有しているので、挿入穴部から挿入された複数本の光ファイバは傾斜面に沿って分離されることになる。
【００１１】
また、本発明にかかるファイバピッチ変換分離治具の第４の特徴は、上記本発明の第１から第３のいずれかの特徴において、前記排出穴部が標準コネクタに適用する光ファイバの配列数およびピッチに一致して開口されていることにある。
【００１２】
このように構成されたファイバピッチ変換分離治具においては、排出穴部が標準コネクタに適用する光ファイバの配列数およびピッチに一致して開口されているので、排出穴部から排出された複数本の光ファイバに標準コネクタを容易に取り付けることができる。
【００１３】
また、本発明にかかるファイバピッチ変換分離治具の第５の特徴は、上記本発明の第１から第４のいずれかの特徴において、前記挿入穴部に対向して配置される第１の光ファイバ整列部材と、前記排出穴部に対向して配置される第２の光ファイバ整列部材とを装備していることにある。
【００１４】
このように構成されたファイバピッチ変換分離治具においては、第１の光ファイバ整列部材が挿入穴部に対向して配置されているので、複数本の光ファイバを第１の光ファイバ整列部材にセットして挿入穴部へ挿入することにより、容易に光ファイバを挿入穴部へ挿入することができる。また、第２の光ファイバ整列部材が排出穴部に対向して配置されているので、配列およびピッチが変換された複数本の光ファイバを容易に仮テープ化することができる。
【００１５】
また、本発明にかかる光コネクタ接続方法の第６の特徴は、上記本発明の第１〜第５のいずれかに記載のファイバピッチ変換分離治具を用い、複数本の光ファイバを前記挿入穴部より導入し前記ファイバ挿通孔を通過させて前記排出穴部から突出させる工程と、前記排出穴部から突出して分離された各光ファイバ群を仮固定する工程と、前記ファイバピッチ変換分離治具を光ファイバ群から取り除く工程と、仮固定した光ファイバ群の各光ファイバを端末処理する工程と、端末処理した各光ファイバを光コネクタに接続する工程とを含むことにある。
【００１６】
このように構成された光コネクタ接続方法においては、複数本の光ファイバを前述したファイバピッチ変換分離治具の挿入穴部より導入し、ファイバ挿通孔を通過させて排出穴部から突出させ、突出した光ファイバ群を仮固定する。その後、ファイバピッチ変換分離治具を取り外して、仮固定した光ファイバ群の端末処理を行い、この端末に光コネクタを接続する。これにより、複数の光ファイバを、ファイバピッチ変換分離治具の挿入穴部に対応した配列およびピッチから、排出穴部に対応する配列およびピッチに容易に変換することができるので、排出穴部の配列およびピッチを接続したい光コネクタの配列およびピッチに合わせることにより、容易に所望の光コネクタを接続することができる。
【００１７】
また、本発明にかかる光コネクタ接続方法の第７の特徴は、上記本発明の第６の特徴において、前記ファイバピッチ変換分離治具を光ファイバ群から取り除く際に、第１部材と第２部材とが分離可能であることにある。
【００１８】
このように構成された光コネクタ接続方法においては、ファイバピッチ変換分離治具の第１部材と第２部材を分離させることにより、容易にファイバピッチ変換分離治具を光ファイバ群から取り外すことができる。
【００１９】
また、本発明にかかる多心光コネクタの第８の特徴は、上記本発明の第１から第４のいずれかの特徴に記載のファイバピッチ変換分離治具が一体的に設けられたことにある。
【００２０】
このように構成された多心光コネクタにおいては、前述したファイバピッチ変換分離治具が多心光コネクタに一体的に設けられているので、第１の配列数および第１のピッチで並置された複数本の光ファイバに、第２のピッチおよび第２の配列数の多心光コネクタを容易に取り付けることができる。
【発明の効果】
【００２１】
本発明によれば、ファイバピッチ変換分離治具の挿入穴部から光ファイバを挿入し、ファイバ挿通孔を介して排出穴部から引き出すことにより、第１の配列数および第１のピッチで並置された光ファイバ心線を、容易に第２のピッチおよび第２の配列数に変換・分離することができるという効果が得られる。
【発明を実施するための最良の形態】
【００２２】
以下、本発明に係る好適な実施形態を図面に基づいて詳細に説明する。
図１（Ａ）は本発明のファイバピッチ変換分離治具に係る一実施形態を示す斜視図、（Ｂ）は正面図、（Ｃ）は側面図、（Ｄ）は背面図である。なお、本明細書中で云う、「複数本の光ファイバ」とは、複数本の光ファイバ素線や光ファイバコードを並置したもの、光ファイバテープ心線、あるいは、光ファイバシートを含む。但し、下記の実施形態では、複数本の光ファイバ心線を並置した形態の光ファイバテープ心線について説明するものとする。
【００２３】
図１に示すように、本発明にかかるファイバピッチ変換分離治具１０は、複数本の光ファイバ心線１１が第１の配列数および第１のピッチで並置された光ファイバテープ心線１２の前記光ファイバ心線１１を第２のピッチおよび第２の配列数に変換・分離するものである。そして、光ファイバテープ心線１１を導入するため開口した挿入穴部１３と、挿入穴部１３に連通し第１の配列数および第１のピッチと異なる第２の配列数および第２のピッチに変換および分離するファイバ挿通孔１４と、ファイバ挿通孔１４に臨み変換および分離した光ファイバ１１を導出させるため開口した排出穴部１５とを備えている。なお、図示はしていないが、挿入穴部１３の開口端は、光ファイバ心線１１の挿入性を良好にする面取り加工がなされていると好ましい。
【００２４】
図１（Ｂ）に示すように、例えば、光ファイバテープ心線１２は、第１の配列数として１列で６本の細径（１２５μｍ）の光ファイバ心線１１を互いに接触するように並列したものであり、第１のピッチＰ１としては光ファイバ心線１１の外径と等しい大きさとなっている。これに伴い、挿入穴部１３は１列で６個の穴１３ａがＰ１ピッチで形成されることになる。
また、図１（Ｃ）に示すように、ファイバ挿通孔１４は始端側（図１（Ｃ）において左端側）が挿入穴部１３に連続しており、挿入穴部１３から挿入された光ファイバ心線１１を、１本おきに上下に分離している。従って、図１（Ｄ）に示すように、ファイバ挿通孔１４の終端側（図１（Ｄ）において右端側）に連続している排出穴部１５では、第２の配列数として２列で３個の穴１５ａが形成されており、穴１５ａのピッチは第２のピッチＰ２として挿入穴部１３における第１のピッチＰ１の２倍に変換されている。
【００２５】
以上、前述したファイバピッチ変換分離治具１０においては、挿入穴部１３から光ファイバ心線１１を挿入し、ファイバ挿通孔１４を介して排出穴部１５から引き出すことにより、第１の配列数および第１のピッチで並置された光ファイバテープ心線１２を構成する光ファイバ心線１１を、容易に第２のピッチおよび第２の配列数に変換・分離することができる。
【００２６】
（実施例１）
次に、具体的な実施例として、外径１２５μｍの細径光ファイバ心線１１が１２５μｍピッチで配置された２４心の光ファイバテープ心線１２を、ピッチ２５０μｍに変換・分離して標準コネクタ（ピッチ２５０μｍ、２次元配列）へ結線する場合について説明する。
【００２７】
図２（Ａ）は第１実施例にかかるファイバピッチ変換分離治具の正面図、（Ｂ）は側面図、（Ｃ）は背面図、図３は第１部材を正面側から見た斜視図、図４は第１部材を背面側から見た斜視図、図５（Ａ）は第１部材と第２部材を組み合わせた状態を示す斜視図、（Ｂ）は第１部材と第２部材を分離させる状態を示す斜視図、図６は正面側に第１の光ファイバ整列部材を取り付けるとともに背面側に第２の光ファイバ整列部材を取り付けたファイバピッチ変換分離治具の側面図、図７は組み合わされた第１部材と第２部材を第２の光ファイバ整列部材により固定する状態を示す斜視図、図８（Ａ）〜（Ｆ）は光コネクタ接続方法の工程図である。
なお、図１において前述した部位と同じ部位には共通の符号を付すこととして、重複した説明を省略することとする。また、図３および図４には第１部材が示されているが、第２部材は第１部材を上下反転することにより得られる形状をしているので、図３および図４において第２部材については括弧書きで符号を示すこととする。
【００２８】
図２（Ａ）〜（Ｃ）に示すように、ファイバピッチ変換分離治具１０Ａは、第１部材１６および第２部材１７を有している。そして、図２（Ａ）に示すように、第１部材１６および第２部材１７の正面１６Ａ、１７Ａには、配列数およびピッチを変換する前の光ファイバテープ心線１２に対応して凹凸（凹部１８および凸部１９）が連続して櫛歯状に形成されており、凹部１８および凸部１９が互いに噛合可能に配置されている。
すなわち、図３および図４に示すように、第１部材１６（第２部材１７）は厚さが３段に変化する矩形状をしており、第２段の上面に凹部１８および凸部１９が交互に形成されている。凹部１８の幅は、細径光ファイバ心線１１の外径である１２５μｍより若干大きめに、凸部１９の幅は、細径光ファイバ心線１１の外径である１２５μｍより若干小さめとなっている。また、第１部材１６（第２部材１７）の側面１６Ｂ（１７Ｂ）には、キー溝１６ａ（１７ａ）が長手方向に沿って設けられている。
【００２９】
図３に示すように、正面１６Ａ（１７Ａ）では、凹部１８および凸部１９は一直線上に連続して並んで設けられている。このため、凹部１８と凸部１９との間のピッチＰ１は、分離・変換前の光ファイバテープ心線１２における光ファイバ心線１１のピッチと同様であり、Ｐ１＝１２５μｍ（図２（Ａ）参照）となっている。
一方、図４に示すように、背面１６Ｃ（１７Ｃ）においては、凹部１８と凸部１９とが交互に上下方向に大きく離れて配置されている。このため、凹部１８および凸部１９のピッチは各々Ｐ２であり、２×Ｐ１＝２５０μｍとなっている。
なお、正面１６Ａ（１７Ａ）における凸部１９と背面１６Ｃ（１７Ｃ）における凸部１９は傾斜面２１で直線的に連結されている。また、凹部１８についても同様に傾斜面２０（図２（Ｂ）参照）で連結されている。
【００３０】
図２（Ａ）および（Ｃ）に示すように、第１部材１６の上に第２部材１７を組み合わせたときに、両部材１６、１７の凹部１８および凸部１９が互いに噛合し、凹部１８と凸部１９との間に空間が形成されて、光ファイバ心線１１を挿通させるファイバ挿通孔１４が形成されるようになっている。
従って、図２（Ａ）に示すように、両部材１６、１７の凹部１８および凸部１９により正面１６Ａ、１７Ａに形成される挿入穴部１３の穴１３ａの配列およびピッチは、１列でＰ１＝１２５μｍとなる。また、図２（Ｃ）に示すように、背面１６Ｃ、１７Ｃに形成される排出穴部１５の穴１５ａの配列およびピッチは上下２列で各々Ｐ２＝２５０μｍとなっており、標準コネクタの配列数およびピッチに一致している。
【００３１】
なお、図５（Ａ）に示すように、組み合わされた第１部材１６と第２部材１７は、図５（Ｂ）に示すように、噛合している凹部１８および凸部１９から分離することができるようになっている。
【００３２】
図６に示すように、ファイバピッチ変換分離治具１０のファイバ挿入側（正面側）に挿入穴部１３に対向して第１の光ファイバ整列部材２２を取り付け、排出側（背面側）に排出穴部１５に対向して第２の光ファイバ整列部材２３を取り付けることができる。
第１の光ファイバ整列部材２２には細径（１２５μｍ）の光ファイバ心線１１がその外形寸法と同じ１２５μｍピッチで配列されるものに対応した角溝２２ａが形成されており、この角溝２２ａに沿って光ファイバ心線１１を送ることにより、容易に挿入穴部１３に挿入することができる。なお、上記の角溝２２ａは、並置される各光ファイバ心線１１に対応して形成されるＶ溝であるとより好ましい。
【００３３】
また、第２の光ファイバ整列部材２３は、図６および図７に示すように、楔状の本体２３ａと、この本体２３ａの前方（図６において左側）に突出した左右一対の把持部２３ｂとを有し、本体２３ａの上下両面には排出穴部１５の配列およびピッチに対応したＶ溝２３ｃが形成されている。
本体２３ａの上下両面の水平面に対する傾斜角度α（４．４°程度）は、ファイバピッチ変換分離治具１０のファイバ挿通孔１４の水平面に対する傾斜角度β（１．４°程度）よりも大きくなっており、排出穴部１５から突出した光ファイバ心線１１のＶ溝２３ｃへの押付け性を確保している。
この第２の光ファイバ整列部材２３はＶ溝２３ｃが本体２３ａの上下両面に設けられており、分離された光ファイバ心線１１を仮固定する際に使用される。また、把持部２３ｂは、第１部材１６のキー溝１６ａおよび第２部材１７のキー溝１７ａに嵌合する断面形状を有しており、組み合わされている第１部材１６と第２部材１７のキー溝１６ａ、１７ａに嵌合させることにより、第２の光ファイバ整列部材２３を取り付けると共に第１部材１６と第２部材１７とが分離しないように固定している。
【００３４】
次に、図８に基づいて、光コネクタ接続方法について説明する。
予め、ファイバピッチ変換分離治具１０の第１部材１６と第２部材１７を組み合わせると共に、第１の光ファイバ整列部材２２を取り付けておく。また、第２の整列部材２３を取り付けて、第１部材１６と第２部材１７が分離しないように固定しておく。また、光ファイバテープ心線１２の端部を所定の長さだけ各光ファイバ心線１１に分離しておく。なお、光ファイバテープ心線１２に代わって、例えば複数本の光ファイバ心線を所定の配列数およびピッチで並置した形態の場合には、分離しておく必要性は勿論生じない。
【００３５】
まず、光ファイバ心線１１を第１の光ファイバ整列部材２２のＶ溝２２ａに沿って送り込む（図８（Ａ）参照）。光ファイバ心線１１をファイバピッチ変換分離治具１０の挿入穴部１３より導入し、ファイバ挿通孔１４を介して排出穴部１５から突出させて、ピッチ変換および分離した二つの光ファイバ群の状態で、各光ファイバ群を第２の光ファイバ整列部材２３のＶ溝２３ｃに位置決めする（図８（Ｂ）参照）。第２の光ファイバ整列部材２３の上から接着剤２４を塗布して、光ファイバ心線１１をテープ状に仮固定する（図８（Ｃ）参照）。接着剤２４が固化して仮固定が完了したら、第２の光ファイバ整列部材２３の把持部２３ｂを第１部材１６および第２部材１７のキー溝１６ａ、１７ａから引き抜いてファイバピッチ変換分離治具１０の第１部材１６と第２部材１７を分解し、二つの光ファイバ群に形成された光ファイバ心線１１を取り出す（図８（Ｄ）参照）。その後、光ファイバ心線１１の被覆除去や端面カット等の端末処理を行い（図８（Ｅ）参照）、標準コネクタ２５を取り付ける（図８（Ｆ）参照）。
【００３６】
以上説明したファイバピッチ変換分離治具１０Ａおよび光コネクタ接続方法によれば、複数の光ファイバ心線１１をファイバピッチ変換分離治具１０Ａの挿入穴部１３に挿入して排出穴部１５から突出させることにより、第１の配列およびピッチの光ファイバ心線１１を、容易に第２の配列およびピッチに分離変換することができる。このため、細径の光ファイバテープ心線１２に、容易に標準の光コネクタ２５を接続することができる。
また、ファイバピッチ変換分離治具１０Ａは、挿入穴部１３、ファイバ挿通孔１４および排出穴部１５が連続した穴部として形成されているので、光ファイバテープ心線をその配列のまま、挿入穴部１３に挿通させることで、光ファイバ心線に誤配列を生じさせることもなく、作業性の向上を図ることができる。
【００３７】
（実施例２）
次に、図９〜図１１に基づいて、第２実施例について説明する。
図９は凸部および凹部の形状を示す断面図、図１０（Ａ）は挿入穴部における穴の配置図、（Ｂ）は排出穴部における穴の配置図、図１１は多心コネクタの側面図である。なお、図１〜図８において前述した部位と同じ部位には共通する符号を付して、重複する説明を省略することとする。
【００３８】
前述した第１実施例においては、挿入穴部１３と排出穴部１５を連結するファイバ挿通孔１４が、同一垂直面内において上下方向に変位しているため、図２（Ｃ）に示したように、排出穴部１５における上列の穴１５ａの中心Ｑ１と下列の穴１５ａの中心Ｑ２とがずれている。このため、図８（Ｆ）において標準コネクタ２５を装着する際には、上列の光ファイバ心線１１と下列の光ファイバ心線１１の水平方向位置が一致するようにずらさなければならない。
【００３９】
この作業をなくすために、図９に示すファイバピッチ変換分離治具１０Ｂでは、排出穴部１５の上列の穴１５ａと下列の穴１５ａの中心位置が水平方向に一致するように、凹部１８Ｂおよび凸部１９Ｂを垂直面からずらして斜めに形成し、ファイバ挿通孔１４Ｂを上下方向と同時に水平方向にも変位するようにした。さらに、標準コネクタ２５における上列と下列との間の距離が５００μｍであることに合わせて、排出穴部１５における上列の穴１５ａと下列の穴１５ａとの中心間距離が５００μｍとなるようにした。
【００４０】
これにより、図１０（Ａ）に示すように、挿入穴部１３においては１列で１２５μｍピッチの穴１３ａが、排出穴部１５においては、図１０（Ｂ）に示すように、標準コネクタ２５における配列およびピッチと同様に、２列で２５０μｍピッチの穴１５ａに変換されることになる。このため、ファイバピッチ変換分離治具１０Ｂを用いると、挿入穴部１３から挿入し、ファイバ挿通孔１４Ｂを経由して排出穴部１５から突出した光ファイバ心線１１に、容易に標準コネクタ２５を取り付けることができる。
【００４１】
また、図１１に示すように、前述のようにして作製したファイバピッチ変換分離治具１０Ｂの排出側に標準コネクタ２５を一体的に取り付けて、多心コネクタ２６とすることができる。このとき、ファイバピッチ変換分離治具１０Ｂをゴム等の弾性材料を用いて作製することにより、光ファイバ心線１１に曲げが作用した際に保護機能を発揮することができる。
【００４２】
このように構成された多心光コネクタ２６においては、前述したファイバピッチ変換分離治具１０Ｂが一体的に設けられているので、１列に１２５μｍピッチで光ファイバ心線１１が並置された光ファイバテープ心線１２に、標準コネクタ２５を容易かつ短時間で取り付けることができる。
【００４３】
なお、本発明のファイバピッチ変換分離治具は、前述した実施形態に限定されるものでなく、適宜な変形，改良等が可能である。
例えば、前述した各実施形態においては、光ファイバテープ心線の細径光ファイバ心線を、ピッチおよび配列数を変換、分離して標準コネクタに適用できるようにした場合について説明したが、逆に標準配列の光ファイバテープ心線を細径コネクタに適用するように変換することもできる。また、前述した各実施形態とは異なる配列数およびピッチに変更することもできる。
【００４４】
上記した各実施形態では、光ファイバが光ファイバテープ心線の場合について説明したが、本発明はこれに限定するものではなく、複数本の光ファイバ素線や光ファイバ心線、あるいは、光ファイバコードを並置したもの、また光ファイバを両面から可撓性を有するシート部材で挟んで固定したり、光ファイバを樹脂に埋め込むことにより形成される光ファイバシートにも適用可能である。
【産業上の利用可能性】
【００４５】
以上のように、本発明に係るファイバピッチ変換分離治具は、挿入穴部から光ファイバ心線を挿入し、ファイバ挿通孔を介して排出穴部から引き出すことにより、第１の配列数および第１のピッチで並置された光ファイバテープ心線の光ファイバ心線を、容易に第２のピッチおよび第２の配列数に変換・分離することができるという効果を有し、複数本の光ファイバ心線の配列数およびピッチを変換・分離するファイバピッチ変換分離治具等として有用である。
【図面の簡単な説明】
【００４６】
【図１】（Ａ）は本発明のファイバピッチ変換分離治具に係る実施形態を示す斜視図、（Ｂ）は正面図、（Ｃ）は側面図、（Ｄ）は背面図である。
【図２】（Ａ）は第１実施例にかかるファイバピッチ変換分離治具の正面図、（Ｂ）は側面図、（Ｃ）は背面図である。
【図３】第１部材を正面側から見た斜視図である。
【図４】第１部材を背面側から見た斜視図である。
【図５】（Ａ）は第１部材と第２部材を組み合わせた状態を示す斜視図、（Ｂ）は第１部材と第２部材を分離させる状態を示す斜視図である。
【図６】正面側に第１の光ファイバ整列部材を取り付けるとともに背面側に第２の光ファイバ整列部材を取り付けたファイバピッチ変換分離治具の側面図である。
【図７】組み合わされた第１部材と第２部材を第２の光ファイバ整列部材により固定する状態を示す斜視図である。
【図８】（Ａ）〜（Ｆ）は光コネクタ接続方法の工程図である。
【図９】凸部および凹部の形状を示す断面図である。
【図１０】（Ａ）は挿入穴部における穴の配置図、（Ｂ）は排出穴部における穴の配置図である。
【図１１】多心コネクタの側面図である。
【図１２】従来のファイバ挿入用補助具を備えた多心コネクタの斜視図である。
【符号の説明】
【００４７】
１０  ファイバピッチ変換分離治具
１１  光ファイバ心線
１２  光ファイバテープ心線
１３  挿入穴部
１４  ファイバ挿通孔
１５  排出穴部
１６  第１部材
１７  第２部材
１８  凹部（凹凸）
１９  凸部（凹凸）
２０、２１  傾斜面
２２  第１の光ファイバ整列部材
２３  第２の光ファイバ整列部材
２５  標準コネクタ
２６  多心光コネクタ
【図１】
2007212779.tif 000003
【図２】
2007212779.tif 000004
【図３】
2007212779.tif 000005
【図４】
2007212779.tif 000006
【図５】
2007212779.tif 000007
【図６】
2007212779.tif 000008
【図７】
2007212779.tif 000009
【図８】
2007212779.tif 000010
【図９】
2007212779.tif 000011
【図１０】
2007212779.tif 000012
【図１１】
2007212779.tif 000013
【図１２】
2007212779.tif 000014